(57)【特許請求の範囲】
【請求項１】
同軸ケーブルの外部導体及び芯線をプリント基板の端縁付近に設けられた接続パターンにハンダ付けすると共に、ハンダ付け部分をシールドケースにより包囲され、前記シールドケースが、下方が開放した箱状に形成されていると共に、側壁に形成されたケーブル導入穴に対して、前記シールドケースの本体から垂直方向下方に向かって延びて同軸ケーブルの外部導体に当接する舌片を備えするアンテナ装置において、
前記同軸ケーブルの外部導体が載置されるプリント基板の領域が、同軸ケーブルの外部導体よりやや細く、かつ嵌め込まれた前記外部導体の下縁が前記プリント基板の下面から突出しない幅に形成されたスリットを有し、
前記スリットの両側縁には、前記スリット内に嵌め込まれた前記外部導体と接触する第一の接続パターンが形成され、
前記外部導体が前記第一の接続パターンとハンダ付けされるとともに前記芯線が第二の接続パターンにハンダ付けされることを特徴とするアンテナ装置。
【発明の詳細な説明】
【０００１】
【発明の属する技術分野】
本発明は、同軸ケーブルをプリント基板の端縁付近に形成された接続パターンに対してハンダ付けする接続構造に関するものである。
【０００２】
【従来の技術】
従来、例えば測位システムとして普及している所謂ＧＰＳ（Ｇｌｏｂａｌ  Ｐｏｓｉｔｉｏｎｉｎｇ  Ｓｙｓｔｅｍ）のアンテナシステムにおいては、衛星からの電波を受信するためのＧＰＳアンテナと、このアンテナで受信された高周波信号に対して、雑音除去，増幅，周波数変換等の処理を行なうための高周波回路と、この高周波回路で周波数変換された信号を処理する信号処理回路（ＣＰＵ）とが設けられており、ＧＰＳアンテナと高周波回路との間は、損失の少ない同軸ケーブルで接続されるようになっている。
【０００３】
この同軸ケーブルとＧＰＳアンテナまたは高周波回路との接続構造は、例えば図６及び図７に示すように構成されている。
即ち、図６において、同軸ケーブルの接続構造１は、プリント基板２と、プリント基板２の接続部に対して接続されるべき同軸ケーブル３と、接続部分をシールドするためのシールドケース４と、から構成されている。
【０００４】
ここで、同軸ケーブル３は、外側から順次に外被３ａ，外部導体３ｂ，中空円筒状の絶縁体３ｃ及び芯線３ｄから構成されている。
これに対して、プリント基板２は、同軸ケーブル３の外部導体３ｂが接続される第一の接続パターン（ＧＮＤパターン）２ａと、芯線３ｄが接続される第二の接続パターン（回路パターン）２ｂと、を備えている。
また、シールドケース４は、下方が開放した箱状に形成されていると共に、図７に示すように、一端が切欠により形成された舌片４ａを備えている。
【０００５】
このような構成の同軸ケーブルの接続構造１によれば、同軸ケーブル３をプリント基板２に接続する際には、同軸ケーブル３の一端にて、外被３ａが除去されることにより露出した外部導体３ｂが、プリント基板２の第一の接続パターン２ａ上に載置されると共に、芯線３ｄが、第二の接続パターン２ｂ上に載置される。
そして、外部導体３ｂがプリント基板２の第一の接続パターン２ａにハンダ付けされると共に、芯線３ｄが第二の接続パターン２ｂにハンダ付けされる。
【０００６】
また、同軸ケーブル３の一端の接続部付近を覆うように、プリント基板２上にシールドケース４がプリント基板２に対して取り付けられると共に、その舌片４ａが同軸ケーブル３の外部導体３ｂに対してハンダ付けされる。
かくして、同軸ケーブル３がプリント基板２に対して接続されるようになっている。
【０００７】
【発明が解決しようとする課題】
しかしながら、このような構成の同軸ケーブルの接続構造１においては、同軸ケーブル３は、その外部導体３ｂがプリント基板２の表面に載置されるようになっていることから、同軸ケーブル３のプリント基板２の上方に突出する寸法が大きくなってしまい、ＧＰＳアンテナや高周波回路の薄型化が困難になってしまうという問題があった。
また、図６（Ｂ）に示すように、芯線３ｄを第二の接続パターン２ｂにハンダ付けする際に、芯線３ｄが、プリント基板２の表面から比較的遠くに位置していることから、ハンダ付けの作業性が悪く、ハンダ付けの信頼性が低下してしまうという問題があった。
さらに、シールドケース４の舌片４ａを芯線３ｄにハンダ付けする際には、図６（Ｂ）に示すように、舌片４ａを下方におり曲げてからハンダ付けを行なう必要があり、同様に作業性が悪く、ハンダ付けの信頼性が低下してしまうという問題があった。
【０００８】
本発明は、以上の点に鑑み、簡単な構成により、同軸ケーブルのプリント基板に対する取付高さを低減すると共に、特に芯線のハンダ付けの信頼性を向上させるようにした、同軸ケーブルの接続構造を提供することを目的としている。
【０００９】
【課題を解決するための手段】
上記目的は、本発明によれば、同軸ケーブルの外部導体及び芯線をプリント基板の端縁付近に設けられた接続パターンにハンダ付けすると共に、ハンダ付け部分をシールドケースにより包囲され、シールドケースが、下方が開放した箱状に形成されていると共に、側壁に形成されたケーブル導入穴に対して、シールドケースの本体から垂直方向下方に向かって延びて同軸ケーブルの外部導体に当接する舌片を備えするアンテナ装置において、同軸ケーブルの外部導体が載置されるプリント基板の領域が、同軸ケーブルの外部導体よりやや細く、かつ嵌め込まれた外部導体の下縁が前記プリント基板の下面から突出しない幅に形成されたスリットを有し、スリットの両側縁には、スリット内に嵌め込まれた外部導体と接触する第一の接続パターンが形成され、外部導体が第一の接続パターンとハンダ付けされるとともに芯線が第二の接続パターンにハンダ付けされることを特徴とする、アンテナ装置により、達成される。
【００１０】
上記構成によれば、同軸ケーブルをプリント基板に接続する際、同軸ケーブルの外部導体が、プリント基板に設けられたスリット内に進入することにより、プリント基板の表面から僅かに沈み込んだ位置で、スリットの両側縁に当接する。
これにより、同軸ケーブルの芯線は、プリント基板の表面に対してより接近して位置することになる。
【００１１】
従って、同軸ケーブルの外部導体及び芯線を、それぞれ対応してプリント基板上に形成された接続パターンに対してハンダ付けする際、外部導体は、スリットの両側縁にてハンダ付けされると共に、芯線は、無理のない形状で確実にハンダ付けされ得ることになる。
さらに、シールドケースのケーブル導入穴内にて下方に延びる舌片が、同軸ケーブルの外部導体に当接することにより、舌片を折曲げることなく、外部導体を舌片に対して容易にハンダ付けすることができるので、ハンダ付け信頼性が向上することになる。
【００１２】
このようにして、同軸ケーブルのプリント基板に対する取付高さが低減され得ることにより、プリント基板が組み込まれる例えばＧＰＳアンテナや高周波回路等が容易に薄型化され得ると共に、芯線のプリント基板表面からの高さが低減され得ることにより、芯線のハンダ付け信頼性が向上することになり、またシールドケースのケーブル導入穴内に舌片が延びており、この舌片が同軸ケーブルの外部導体に当接するので、舌片のハンダ付け作業性が改善され、ハンダ付け信頼性が向上する。
【００１３】
【発明の実施の形態】
以下、図面に示した実施形態に基づいて、本発明を詳細に説明する。
図１及び図２は、本発明による同軸ケーブルの接続構造の一実施形態を示している。
図１及び図２において、同軸ケーブルの接続構造１０は、プリント基板１１と、プリント基板１１の接続部に対して接続されるべき同軸ケーブル１２と、接続部分をシールドするためのシールドケース１３と、から構成されている。
【００１４】
ここで、同軸ケーブル１２は、外側から順次に外被１２ａ，外部導体１２ｂ，中空円筒状の絶縁体１２ｃ及び芯線１２ｄから構成されている。
これに対して、プリント基板１１は、同軸ケーブル１２の外部導体１２ｂが接続される第一の接続パターン（ＧＮＤパターン）１１ａと、芯線１２ｄが接続される第二の接続パターン（電源／信号パターン）１１ｂと、を備えている。
【００１５】
また、シールドケース１３は、下方が開放した箱状に形成されていると共に、図２に示すように、同軸ケーブル１２の外部導体１２ｂにハンダ付けされべき舌片１３ｄを備えている。
【００１６】
以上の構成は、図６及び図７に示した従来の同軸ケーブルの接続構造１と同様の構成であるが、本発明実施形態による同軸ケーブルの接続構造１０においては、以下の点で異なる構成になっている。
即ち、プリント基板１１は、上記第一の接続パターン１１ａに沿って、即ち接続されるべき同軸ケーブル１２の外部導体１２ｂの長手方向に沿って、この外部導体１２ｂよりやや幅の狭いスリット１１ｃを有している。
このスリット１１ｃは、その幅が、同軸ケーブル１２の外部導体１２ｂの外径とプリント基板１１の厚さを考慮して、同軸ケーブル１２の外部導体１２ｂの下縁が、プリント基板１１の下面から下方に突出しないように選定されている。
【００１７】
また、上記シールドケース１３は、箱状のケース本体１３ａの端面１３ｂに設けられたケーブル導入穴１３ｃ内にて、ケース本体１３ａから垂直方向下方に延びる舌片１３ｄを備えている。
この舌片１３ｄは、同軸ケーブル１２がプリント基板１１に対して接続された状態にて、同軸ケーブル１２の外部導体１２ｂの上面に当接するように、下方に向かって凹状の円弧状に形成されている。
尚、この舌片１３ｄは、図１に示すように、ケース本体１３ａの端面１３ｂから内側に後退した位置に形成されている。
【００１８】
本発明実施形態による同軸ケーブルの接続構造１０は、以上のように構成されており、同軸ケーブル１２をプリント基板１１に接続する際には、同軸ケーブル１２の一端にて、外被１２ａが除去されることにより露出した外部導体１２ｂが、プリント基板１１のスリット１１ｃ内に嵌め込まれると共に、芯線１２ｄが、第二の接続パターン１１ｂ上に載置される。
このとき、同軸ケーブル１２の外部導体１２ｂは、図２に示すように、スリット１１ｃ内に進入して、スリット１１ｃの両側縁にて第一の接続パターン１１ａに接触すると共に、その下縁はプリント基板１１の下面から下方には突出しない。
そして、外部導体１２ｂがプリント基板１１の第一の接続パターン１１ａにハンダ付けされると共に、芯線１２ｄが第二の接続パターン１１ｂにハンダ付けされる。
【００１９】
また、同軸ケーブル１２の一端の接続部付近を覆うように、プリント基板１１上にシールドケース１３がプリント基板１１に対して取り付けられると共に、その舌片１３ｄが同軸ケーブル１２の外部導体１２ｂに対してハンダ付けされる。
かくして、同軸ケーブル１２がプリント基板１１に対して接続されるようになっている。
【００２０】
この場合、同軸ケーブル１２の外部導体１２ｂがプリント基板１１のスリット１１ｃ内に進入することにより、同軸ケーブル１２のプリント基板１１に対する取付高さが低減される。これにより、プリント基板１１が組み込まれる例えばＧＰＳアンテナや高周波回路等の各種機器が薄型に構成され得ることになる。
【００２１】
また、同軸ケーブル１２の取付高さが低減されることにより、同軸ケーブル１２の芯線１２ｄのプリント基板１１表面からの高さ位置も低くなり、第二の接続パターン１１ｂに対して、容易に且つ確実にハンダ付けされ得るので、ハンダ付け作業性が改善されると共に、ハンダ付け信頼性が向上することになる。
【００２２】
さらに、シールドケース１３の舌片１３ｄが本体１３ａから下方に延びていることから、同軸ケーブル１２の外部導体１２ｂへの舌片１３ｄのハンダ付けの際に、舌片１３ｄを折曲げる必要がなく、ハンダ付けの作業性が改善され、ハンダ付け信頼性が向上することになる。
【００２３】
上述した実施形態においては、例えばＧＰＳアンテナや高周波回路におけるプリント基板１１と同軸ケーブル１２との接続の場合について説明したが、これに限らず、他の各種機器のプリント基板と同軸ケーブルとの接続に対しても本発明を適用し得ることは明らかである。
【００２４】
【発明の効果】
以上述べたように、本発明によれば、同軸ケーブルをプリント基板に接続する際、同軸ケーブルの外部導体が、プリント基板に設けられたスリット内に進入することにより、プリント基板の表面から僅かに沈み込んだ位置で、スリットの両側縁に当接する。
これにより、同軸ケーブルの芯線は、プリント基板の表面に対してより接近して位置することになる。
【００２５】
従って、同軸ケーブルの外部導体及び芯線を、それぞれ対応してプリント基板上に形成された接続パターンに対してハンダ付けする際、外部導体は、スリットの両側縁にてハンダ付けされると共に、芯線は、無理のない形状で確実にハンダ付けされ得ることになる。
さらに、シールドケースのケーブル導入穴内にて下方に延びる舌片が、同軸ケーブルの外部導体に当接することにより、舌片を折曲げることなく、外部導体を舌片に対して容易にハンダ付けすることができるので、ハンダ付け信頼性が向上することになる。
【００２６】
このようにして、同軸ケーブルのプリント基板に対する取付高さが低減され得ることにより、プリント基板が組み込まれる例えばＧＰＳアンテナや高周波回路等が容易に薄型化され得ると共に、芯線のプリント基板表面からの高さが低減され得ることにより、芯線のハンダ付け信頼性が向上することになり、またシールドケースのケーブル導入穴内に舌片が延びており、この舌片が同軸ケーブルの外部導体に当接するので、舌片のハンダ付け作業性が改善され、ハンダ付け信頼性が向上する。
【００２７】
かくして、本発明によれば、簡単な構成により、同軸ケーブルのプリント基板に対する取付高さを低減すると共に、特に芯線のハンダ付けの信頼性を向上させるようにした、極めて優れた同軸ケーブルの接続構造が提供され得ることになる。
【図面の簡単な説明】
【図１】本発明による同軸ケーブルの接続構造の一実施形態を示す、概略平面図である。
【図２】図１の接続構造の正面図である。
【図３】図１の接続構造における要部を示す部分拡大平面図である。
【図４】図１の接続構造における要部を示す部分拡大側面図である。
【図５】図１の接続構造における要部を示す部分拡大正面図である。
【図６】従来の同軸ケーブルの接続構造の一例を示し、（Ａ）はハンダ付け前、及び（Ｂ）はハンダ付け後の概略断面図である。
【図７】図６の接続構造における要部拡大平面図である。
【符号の説明】
１０      同軸ケーブルの接続構造
１１      プリント基板
１１ａ，１１ｂ      接続パターン
１１ｃ      スリット
１２        同軸ケーブル
１２ａ      外被
１２ｂ      外部導体
１２ｃ      絶縁体
１２ｄ      芯線
１３        シールドケース
１３ｃ      ケーブル導入穴
１３ｄ      舌片
【図１】
0004151168.tif 000002
【図２】
0004151168.tif 000003
【図３】
0004151168.tif 000004
【図４】
0004151168.tif 000005
【図５】
0004151168.tif 000006
【図６】
0004151168.tif 000007
【図７】
0004151168.tif 000008